Podtech/llm-jp-corpus-v4-ja_patent huggingface dataset:
(57)【要約】【課題】収納ユニットの有無にかかわらず、簡単に隣接するラックを連結することが可能なラックの連結構造を提供する。【解決手段】複数のラック１，１が隣接して連結されるラックの連結構造において、隣接するラック１，１の両方に設けた連結金具挿入用の対をなす連結用穴６，６と、対をなす連結用穴６，６の各々にラック１，１の外側より挿入する連結金具７を備え、連結金具７をラック１，１の外側より対をなす連結用穴６，６の各々に挿入して隣接するラック１，１を連結することを特徴とする。【選択図】図１
2008093253.tif 000002
【特許請求の範囲】
【請求項１】
複数のラックが隣接して連結されるラックの連結構造において、隣接するラックの両方に設けた連結金具挿入用の対をなす連結用穴と、該対をなす連結用穴の各々に前記ラックの外側より挿入する連結金具を備え、該連結金具を前記ラックの外側より前記対をなす連結用穴の各々に挿入して前記隣接するラックを連結することを特徴とするラックの連結構造。
【発明の詳細な説明】
【技術分野】
【０００１】
本発明は、テレビ送信機を構成する多くのユニットを収納する複数のテレビラックなどのように、複数のラックが隣接して連結されるラックの連結構造に関する。
【背景技術】
【０００２】
テレビラックの設置は、一般的に、テレビラックの底面と設置床をアンカーボルトにて結合した後、天井面に耐地震対応用に金具を取付け、他方を壁に固定していた。
【０００３】
図３は、従来技術による複数のテレビラックが隣接して連結されるラックの連結構造を説明する斜視図である。文献公知発明に係るものではない。
【０００４】
従来は、図３に図示のように、隣接するラック１，１例えばテレビラックの両側面に連結用穴２を設け、ボルト３を挿入しナット４を用いて締め付け固定することで、隣接するラック１，１を連結していた。
【０００５】
この連結用穴２とボルト３、ナット４は、図示ではラック１，１の両側面のうち、前面側の１ヶ所であるが、ラックがテレビラックの場合、実際には、ラック１，１の両側面の前面側、天井面、背面側の各々に複数例えば２ヶ所ずつ計６ヶ所に連結用穴２を設け、６ヶ所の各々において、ボルト３，ナット４で締め付け固定することで連結していた。
【０００６】
その後、ラック１，１の天井面に耐地震対応用に金具を取付け、他方を壁に固定していた。
【発明の開示】
【発明が解決しようとする課題】
【０００７】
しかしながら、ＴＶラック１，１の前面側は収納ユニット５が実装されるので、収容ユニット５を実装する前に、隣接するテレビラック１，１をボルト３とナット４で締め付け固定するか、実装した収容ユニット５を取り外してから、隣接するテレビラック１，１をボルト３とナット４で締め付け固定する必要があった。また、隣接するテレビラック１，１を連結するのに、ボルト３とナット３で締め付け固定するので、固定作業が面倒であった。
【０００８】
本発明の目的は、収納ユニットの有無にかかわらず、簡単に隣接するラックを連結することが可能なラックの連結構造を提供することにある。
【課題を解決するための手段】
【０００９】
本発明は、複数のラックが隣接して連結されるラックの連結構造において、隣接するラックの両方に設けた連結金具挿入用の対をなす連結用穴と、該対をなす連結用穴の各々に前記ラックの外側より挿入する連結金具を備え、該連結金具を前記ラックの外側より前記対をなす連結用穴の各々に挿入して前記隣接するラックを連結することを特徴とする。
【発明の効果】
【００１０】
本発明によれば、収納ユニットの有無にかかわらず、簡単に隣接するラックを連結することが可能なラックの連結構造を得ることができ、連結作業が著しく向上する効果がある。
【発明を実施するための最良の形態】
【００１１】
本発明に係る実施の形態について、図１〜図２を用いて説明する。
【００１２】
図１は、本発明による複数のラックが隣接して連結されるラックの連結構造を説明する斜視図である。図２は、図１において、連結金具を、隣接するラックの両方に設けた連結金具挿入用の対をなす連結用穴に、ラックの外側より挿入した後に、連結金具のところで断面した側面図である。
【００１３】
図１においては、隣接するラック１，１の両側面に、連結金具挿入用の対をなす連結用穴６，６を設けている。この対をなす連結用穴６，６は、互いに平行で且つラック１，１の対向する両側面より反対方向に同一距離隔てて設けられている。対をなす連結用穴６，６は、図１に図示では、ラック１，１の両側面の前面側と天井面に各１ヶ所設けているが、ラックがテレビラックの場合、実際には、ラック１，１の両側面の前面側、天井面、背面側の各々に複数例えば２ヶ所ずつ計６ヶ所に連結用穴６，６を設ける。
【００１４】
また、この対をなす連結用穴６，６に対して、対をなす連結用穴６，６の各々にラック１，１の外側より挿入する連結金具７を備える。この連結金具７は、中央の連結部７ａと両側の挿入部７ｂ，７ｃからなり、中央の連結部７ａに対して両側の挿入部７ｂ，７ｃは９０度同じ方向に折れ曲がっている。中央の連結部７ａは対をなす連結用穴６，６の間隔に相当する長さを有し、両側の挿入部７ｂ，７ｃは連結用穴６，６に挿入可能で且つ挿入したとき、連結用穴６，６を貫通してさらにラック１，１の内側に進入する長さを有し、且つ内側の端部に、図２に図示のように、挿入後の抜け防止用の突起部８を有する。
【００１５】
ラック１，１を連結するには、ラック１，１を図１に図示のように隣接した状態にした後、連結金具７の挿入部７ｂ，７ｃをラック１，１の外側よりラック１，１の対をなす連結用穴６，６に挿入するだけで、隣接するラック１，１を連結することができる。また、挿入したとき、図２に図示のように、突起部８により、連結金具７の挿入後の抜けを防止することができる。
【００１６】
本実施の形態によれば、連結金具の挿入部をラックの外側よりラックの対をなす連結用穴に挿入するだけで良いので、収納ユニットの有無にかかわらず、簡単に隣接するラックを連結することが可能なラックの連結構造を得ることができ、連結作業が著しく向上する効果がある。また連結金具に設けた突起部により、連結金具の挿入後の抜けを簡単に防止することができる効果もある。
【図面の簡単な説明】
【００１７】
【図１】本発明による複数のラックが隣接して連結されるラックの連結構造を説明する斜視図である。
【図２】図１において、連結金具を、隣接するラックの両方に設けた連結金具挿入用の対をなす連結用穴に、ラックの外側より挿入した後に、連結金具のところで断面した側面図である。
【図３】従来技術による複数のテレビラックが隣接して連結されるラックの連結構造を説明する斜視図である。
【符号の説明】
【００１８】
１，１：ラック、２：連結用穴、３：ボルト、４：ナット、５：収納ユニット、 ６，６：連結金具挿入用の対をなす連結用穴、７：連結金具、７ａ：中央の連結部、７ｂ，７ｃ：両側の挿入部、８：挿入後の抜け防止用の突起部。
【図１】
2008093253.tif 000003
【図２】
2008093253.tif 000004
【図３】
2008093253.tif 000005
(57)【要約】      （修正有）【課題】ダンボールの断熱性と手軽さを生かし、コンパクトに持ち運びが出来、簡単な組み立て式で使い捨て出来る、組み立て式簡易寝床を提供する。【解決手段】ダンボール素材の敷板本体１を折りたたみが出来る様に、折り目５をつけ身体部敷板片３を形成すし、それぞれの身体部敷板片３の両側部に差込口４を設ける。寝床の屋根板６部分に、差込口４に差込み係止する為の係止片７を設け、筒状のカバー８の淵に伸縮部９を設ける。使用するときは寝床の敷板本体１を広げ、寝床の屋根板６を、差込口４に差込み固定し足側にカバー８を被せる。【選択図】図３
2008093387.tif 000002
【特許請求の範囲】
【請求項１】
一端に折れ目を介して頭部用敷板片を形成し、残りを等分に三つ折りあるいは四つ折りに折り畳み可能に折れ目を形成した、胴体、両手、両足で構成される身体部用敷板からなるダンボール素材の敷板本体と、当該敷板本体を構成する身体部用敷板片にはそれぞれ両側部に差込口を形成し、当該身体部用敷板片と同じ幅でアーチ状に湾曲状態で架設できるように両端に係止片を形成したダンボール素材の屋根板を前記身体部用敷板片と同数備え、前記差込口に当該係止片を差し込んで組み立てられた敷板本体と屋根板を覆うことができるように開口部に伸縮部を有する筒状のカバーを具備したことを特徴とする、組み立て式簡易寝床。
【発明の詳細な説明】
【技術分類】
【０００１】本発明は、ダンボール素材を利用した組み立て式の簡易寝床に関するものである。
【背景技術】
【０００２】従来は、寝袋が野外などでの簡易寝床として使用されていた。
【発明の開示】
【発明が解決しようとする課題】
【０００３】  そのために次のような問題点があった。
（イ）持ち運びの際にスペースを取り、手軽さに欠けていた。
（ロ）夏などは通気性が悪く温度調節が効かない。
本発明は、以上の問題点を解決するためになされたものである。
【課題を解決するための手段】
【０００４】  ダンボールを組み立てる事で寝床になる。
以上を特徴とする組み立て式簡易寝床である。
【発明の効果】
【０００５】  ダンボールの断熱性と手軽さを生かし、コンパクトに持ち運びが出来、組み立て式で使い捨て出来る特性があるので、被災の際など複数の寝床が必要な際などに、簡易寝床として利用出来る。
【発明を実施するための最良の形態】
【０００６】以下、本発明の実施の形態について説明する。
（イ）ダンボール素材の敷板本体（１）を折りたたみが出来る様に、折り目（５）を３等分割できる部位に折り目（５）間と折り目（５）と端部間に身体部敷板片（３）を形成する。
（ロ）それぞれの身体部敷板片（３）の両側部に差込口（４）を設ける。
（ハ）寝床の屋根板（６）部分に、差込口（４）に差込み係止する為の係止片（７）を設ける。
（ニ）筒状のカバー（８）の淵に伸縮部（９）を設ける。
本発明は以上のような構造で、これを使用するときは寝床の敷板本体（１）を広げ、寝床の屋根板（６）を、差込口（４）に差込み固定し組み立てる。
この時、屋根板（６）は半筒状になるように丸みをつけて取り付ける。
組み立て足側の底部分からカバー（８）を被せる。
カバー（８）を被せる事により足側の底部分よりの冷気の進入を防ぐ。
組み立てられた、組み立て式簡易寝床の中空部（１１）の部分に、体を入れ使用する。
気温の低い季節などは、組み立て式簡易寝床の中に寝袋や毛布を中に使用する事で保温性を高める事が出来る。
敷板本体（１）を折りたたむ事が出来、コンパクトに持ち運び出来、簡単に組み立てられ、又ゴミとして処理し易いので使い捨て出来る手軽さもある。
【図面の簡単な説明】
【０００７】
【図１】本発明の斜視図
【図２】本発明の足元側のビニール袋を取り外した斜視図
【図３】本発明の分解図
【図４】本発明の下敷き部分を折りたたんだ斜視図
【図５】本発明の使用状態を示す斜視図
【符号の説明】
【０００８】  １    敷板本体
２ａ  頭部用敷板片
２ｂ  身体部用敷板
３    身体部用敷板片
４    差込口
５    折り目
６    屋根板
７    係止片
８    カバー
９    伸縮部
１０    開口部
１１    中空部
【図１】
2008093387.tif 000003
【図２】
2008093387.tif 000004
【図３】
2008093387.tif 000005
【図４】
2008093387.tif 000006
【図５】
2008093387.tif 000007
(57)【要約】【課題】本発明はベッドで生活している人や患者たちなどがベッド上で食事などをするためのオーバーテーブルである。通常はベッド柵の高さによりオーバーテーブルの高さが決まるが、このオーバーテーブルはベッド柵の高さに関係なくその人の体に合わせて高さを上下に調節できるオーバーテーブルを提供する。【手段】テーブル（１）の左右に各２本ずつ、穴の開いたＬ字型の金具（２）を設ける。穴の開いたベッド柵の大きさと同じＪ字型の金具（３）とＬ字型金具（２）をアプセット六角ボルト（４）で調節固定を設ける。テーブル（１）に固定しているＬ字型金具（２）とベッド柵（５）に固定してあるＪ字型金具（３）は共に開いている穴の位置により上下にアプセット六角ボルト（４）で調節できるように設ける。【選択図】図１
2008093382.tif 000002
【特許請求の範囲】
【請求項１】
食事や作業などを行なうテーブル（１）（加工しやすい木材など）の左右両端に各２本ずつのＬ字型の金具（２）とベッド柵（５）の上にかけるＪ字型の金具（３）を使用し、ベッド柵の下方にテーブルを設け、上下の調節ができるオーバーテーブル。
【請求項２】
Ｊ字型（３）とＬ字型（２）の金具をアプセット六角ボルト（４）で固定しＬ字型の金具（２）に木材などのテーブル（１）を設置しベッド柵（５）より下方で食事などができるオーバーテーブル。
【請求項３】
Ｊ字型（３）とＬ字型（２）の金具に同じ穴を数本設けることにより、Ｌ字型金具に設置したテーブル（木材など）とベッド柵に固定したＪ字型金具をアプセット六角ボルト（４）により上下に調節することができるオーバーテーブル。
【発明の詳細な説明】
【発明の詳細な説明】
【技術分野】
【０００１】    この発明はベッドで生活する事が多い人（患者や高齢者など）が食事などを行なう際、ベッド柵を左右設置したまま、テーブルを設け、その人の体に合わせてテーブルを上下できるオーバーテーブルに関するものである。
【背景技術】
【０００２】    従来、オーバーテーブルはベッド柵を乗り越えて設置されていることやベッド柵を片方外して設置されていることが知られている。
【発明が解決しようとする課題】
【０００３】    従来のオーバーテーブルには次のような問題点があった。
ベッド上で食事をする時、オーバーテーブルは必ず左右のベッド柵の上に置き、ベッド柵の高さのみでオーバーテーブルの高さが決まっていた。そのため、ベッドを使用している人の体に合わせてテーブルの高さを調節すること難しく、ベッドの高さは限られていた。また、上下調節可能なオーバーテーブルが開発されているがベンド柵を一時、外さなければいけないため、ベッド上で食事をする人がベッドから転落するおそれがあり、危険があった。
本発明は以上の問題点を解決し、ベッド上で生活している人の体に合わせ、かつ安全なオーバーテーブルである。
【課題を解決する手段】
【０００４】    テーブル（１）（木材など）の左右に各２本のＬ字型の金具（２）を取り付け、ベッド柵の大きさに合わせたＪ字型の金具（３）をその４本のＬ字型の金具にアプセット六角ボルト（４）固定する。Ｊ字型、Ｌ字型の金具には共に同じ大きさの穴が数本開いている（７）（８）ため、その穴の位置によってアプセット六角ボルトで上下調節に固定できる。
本発明は以上の構成よりなる上下調節式オーバーテーブルである。
【発明を実施するための最良の形態】
【０００５】    以下、本発明の実施の形態を説明する。
（イ）木材やプラスチックなどの加工しやすいテーブル（１）（ベッドの幅に合わせて）に数本の穴が開いたＬ字型の金具（２）をそのテーブル（１）の左右２箇所（計４本）に設ける。
（ロ）Ｌ字型の金具（２）に開いている穴（７）と同じ大きさの穴が数本開いている（８）Ｊ字型の金具（３）をアプセット六角ボルト（４）で固定できるように設ける。
（ハ）Ｊ字型の金具（３）の内側にはベッド柵（５）の大きさに合わせてセルスポンジ（６）を取り付け、テーブル（１）が動かないように設ける。
（ニ）Ｊ字型の金具（３）とＬ字型の金具（２）にそれぞれ開いている数本の穴（７）（８）の位置によりアプセット六角ボルト（４）でテーブルを上下に調節できる。
本発明は以上の構成よりなる。
本発明を使用する場合はベッド柵（５）より下方にテーブル（１）を設置し、Ｊ字型（３）Ｌ字型（２）にそれぞれに開いている数本の穴（７）（８）をアプセット六角ボルト（４）で固定し、穴の位置によって上下に調節できるようになっている。
【発明の効果】
【０００６】      本発明を使用することにより、ベッド上で生活する人々（高齢者や患者たちなど）が食事する時や作業する時などテーブルを自分の身体に合わせて上下に調節できる。
【図面の簡単な説明】
【図１】    本発明の斜視図
【図２】    本発明の要部拡大の側面図
【図３】    本発明の要部拡大の正面図
【図４】    本発明の使用全体図
【符号の説明】
（１）テーブル、（２）Ｌ字型の金具、（３）Ｊ字型の金具、（４）アプセット六角ボルト、（５）ベッド柵、（６）セルスポンジ、（７）Ｊ字型金具の穴、（８）Ｌ字型金具の穴
【図１】
2008093382.tif 000003
【図２】
2008093382.tif 000004
【図４】
2008093382.tif 000005
【手続補正書】
【提出日】平成18年11月29日(2006.11.29)
【手続補正１】
【補正対象書類名】図面
【補正対象項目名】全図
【補正方法】変更
【補正の内容】
【図１】
2008093382.tif 000006
【図２】
2008093382.tif 000007
【図３】
2008093382.tif 000008
【図４】
2008093382.tif 000009
(57)【要約】【課題】従来の物干し具を使った室内での物干しでは、屋外のような物干し環境がないため、カーテンレールや壁の突起部にむりやり吊り下げるなどして、湿った洗濯物や、物干し具そのものがカーテンや壁に触れ、カーテンの傷みや壁の汚れの原因になる。また、吊り下げスペースを確保しようと釘や螺子を使用すれば、壁が傷つき、ドアなどの通り口下部にそのスペースを求めれば、室内生活動線に干渉して快適な室内生活を阻害する。【解決手段】本発明は、本体をカーテンレールに支持することで、室内に洗濯物を干しても洗濯物が壁やカーテンに触れることなく、釘や螺子で室内を加工することもなく、室内生活動線にも干渉しない構成とした。【選択図】図６
2008093389.tif 000002
【特許請求の範囲】
【請求項１】
室内に洗濯物を干す場合、釘や螺子などの物干し具を支持するための新たな構造物や、自立式の物干し具を必要としない物干し具を、カーテンレールを支点として支持することで構成可能とした。これにより洗濯物が壁やカーテンに触れるような不具合を防ぎ、室内動線にも干渉しない室内物干しが構成できる。
【発明の詳細な説明】
【技術分野】
【０００１】本発明は物干し具に関する。
【背景技術】
【０００２】従来から洗濯物を効率よく干すための物干し具として、針金などの線状材やチェーン状の部材などを用いて中央で吊り上げる構成の吊り下げ部を有し、吊り下げた下部の枠形状または円形状本体から複数のハンガー、又は複数のピンチが吊設されている物干し具や、上記した機能を有する自立型の物干し具が用いられている。【０００３】図２および図３は洗濯物を干すために従来より使用されている物干し具の斜視図である。
【発明の開示】
【発明が解決しようとする課題】
【０００４】上記した従来の物干し具を使って室内で洗濯物を干す場合、吊り下げ下部のスペースを完全に確保できないために、物干し具の一部が壁やカーテンに接触してしまい、その結果、湿った洗濯物も壁やカーテンに接触するという問題がある。【０００５】上記した従来の物干し具を使って室内で洗濯物を干す場合、ドアなどの通り口下部などに吊り下げ下部のスペースを確保しようとすれば、室内生活動線との干渉があるため、釘、螺子などの使用をさけて、洗濯物に人が触れ、物干し具そのものが落下するといった原因を回避できないという問題がある。自立式の物干し具では、それ自体が室内生活動線干渉物である。【０００６】本発明は、室内に洗濯物を干しても洗濯物が壁やカーテンに触れることなく、釘や螺子で室内を加工することもなく、室内生活動線にも干渉しない、きちんと干せて邪魔にならない室内物干し具の提供を目的としている。
【課題を解決するための手段】
【０００７】本発明のカーテンレール物干し具は、このような目的を達成するために、本体をカーテンレールに支持することで、釘や螺子などを一切使用せず、室内生活動線にも干渉しない構成とした。【０００８】本発明のカーテンレール物干し具はこのような目的を達成するために、カーテンレールに支持するための支持部と、その支持部端にピンチを有する物干し部のシンプルな構造とした。【０００９】図６は本発明の代表的な使用形態を示す斜視図である。
【発明の効果】本発明のカーテンレール物干し具は次のような効果をもたらすものである。【００１０】従来の物干し具を使用した室内での洗濯物干しでは、屋外での物干し環境に比べて、物干し具を下げるスペースが整備されていないため、カーテンレールや壁の突起部にむりやり吊り下げるなどして、湿った洗濯物や、物干し具そのものがカーテンや壁に触れ、カーテンが傷んだり、壁の汚れの原因となってしまうが、本発明のカーテンレール物干し具を使用すれば、洗濯物のカーテンや壁との接触を防ぎ、カーテンの傷みや壁の汚れも防止できる。【００１１】本発明のカーテンレール物干し具は、カーテンレールを使用するため、釘や螺子などを必要とせず、壁に穴を開けるなどの室内加工を不要とした。【００１２】本発明のカーテンレール物干し具は、ドアなどの通り口下部を使用しないため、室内生活動線に干渉せず、洗濯物に人が触れ、物干し具そのものが落下するといった原因を回避できる。
【発明を実施するための最良の形態】
【００１３】洗濯物の水分等で濡れること、カーテンレールの負荷を考慮すれば、合成樹脂やアルミなどの耐腐食性で軽い素材で構成することが必要である。
【実施例】以下に本発明のカーテンレール物干し具の実施例を図面を参照しつつ説明する。図６は本発明の代表的な使用形態を示す斜視図である。【００１４】図１は本発明のカーテンレール物干し具の斜視図である。支持部１と、物干し部２で構成されている。【００１５】本発明のカーテンレール物干し具は上記実施の形態に限定されない。カーテンレールに支持する部分の形態やその数、取り付ける位置など適宣変形実施可能である。
【図面の簡単な説明】
【００１６】
【図１】本発明のカーテンレール物干し具の構成を説明するための斜視図である。
【図２】従来より使用されている物干し具の斜視図。
【図３】従来より使用されている物干し具の斜視図。
【図４】本発明のカーテンレール物干し具と従来の物干し具を使った場合の比較図１。
【図５】本発明のカーテンレール物干し具と従来の物干し具を使った場合の比較図２。
【図６】本発明のカーテンレール物干し具の、使用例を示す斜視図である。
【符号の説明】
【００１７】１支持部
２物干し部
【図１】
2008093389.tif 000003
【図２】
2008093389.tif 000004
【図３】
2008093389.tif 000005
【図４】
2008093389.tif 000006
【図５】
2008093389.tif 000007
【図６】
2008093389.tif 000008
(57)【要約】      （修正有）【課題】ぱちんこ玉箱及び回胴式遊技専用メダル箱からぱちんこ玉及び回胴式遊技専用メダルを集計機に投入する際、力を必要とする持ち上げ・傾けのニ工程作業を、持ち上げだけの一工程にすることにより、大幅な労働力低減を実現する。【解決手段】ぱちんこ玉箱及び回胴式遊技専用メダル箱１の側面に開閉式扉３を設置し、ぱちんこ玉及び回胴式遊技専用メダルを集計機投入口に少ない労力で投入できる工夫を施す。【選択図】図１
2008093383.tif 000002
【特許請求の範囲】
【請求項１】
ぱちんこ玉箱及び回胴式遊技専用メダル箱は、満杯で約４〜７キログラムの集積能力がある。満杯になったぱちんこ玉箱及び回胴式遊技専用メダル箱から集計機にぱちんこ玉及び回胴式遊技専用メダルを投入する場合、この専用箱を人力にて持ち上げ、さらに傾けなければ投入できない。女性労働者にはニ工程（持ち上げ・傾け）の作業は大変な労力を要する為、専用箱を傾けず投入できる開閉式扉をぱちんこ玉箱及び回胴式遊技専用メダル箱の側面に設置する。
【請求項２】
ぱちんこ玉箱及び回胴式遊技専用メダル箱の側面に開閉式の扉を設置するが、集計機にぱちんこ玉及び回胴式遊技専用メダルを投入する際、専用箱の扉部に横漏れ防止する為の工夫を施す。
【請求項３】
ぱちんこ玉及び回胴式遊技専用メダルを専用箱から集計機に投入する場合、満杯で４〜７キログラムある専用箱を傾けず容易に投入できるよう専用箱の側面に開閉式の扉を設置するが、ぱちんこ玉及び回胴式遊技専用メダルがスムーズに開閉式扉に向かうよう専用箱の底面に傾斜を付ける。
【発明の詳細な説明】
【技術分野】
【０００１】  本発明は、ぱちんこ玉箱及び回胴式遊技専用メダル箱からぱちんこ玉及び回胴式遊技専用メダルをぱちんこ玉及び回胴式遊技専用メダル集計機に投入する際、最小限の労力で済むぱちんこ玉箱及び回胴式遊技専用メダル箱である。
【背景技術】
【０００２】  従来のぱちんこ玉箱及び回胴式遊技専用メダル箱は、専用箱と言っても他の用途に使われる箱と何ら変わらず、ぱちんこ玉専用箱及び回胴式遊技専用メダル箱とは言いにくい。現在見受けられるぱちんこ玉箱及び回胴式遊技専用メダル箱は、プラスチック製から木製まで多種多様の箱があるが、どれもぱちんこ玉集計機及び回胴式遊技専用メダル集計機にぱちんこ玉及び回胴式遊技専用メダルを投入する際の工夫が見られない。遊技場での労働力は、男女問わず女性の労働者も多い。力を要する作業も女性労働者は、業務を遂行しなければならない現状がある。その理由は集計機にぱちんこ玉及び回胴式遊技専用メダルを投入する際、一箱満杯の重さはぱちんこ玉箱と回胴式遊技専用メダル箱では違うが、おおよそ４〜７キログラムの重量になる。満杯のぱちんこ玉箱及び回胴式遊技専用メダル箱を集計機まで運ぶ場合でも、専用台車に多い場合は１０箱以上運ぶことになる。集計機の投入口の高さは、地面から約９０センチの高さにあり、多くの満杯の箱を重ねた台車から一箱ずつ集計機の投入口に箱を持ち上げる場合、一番底の箱は台車の荷台約１０センチ前後の高さから、ぱちんこ玉箱及び回胴式遊技専用メダル箱を集計機投入口の高さ９０センチまで約４〜７キログラムの箱を持ち上げなければならない。さらに箱を傾け集計機の投入口にぱちんこ玉及び回胴式遊技専用メダルを投入しなければならない動作を、終日何度となく繰り返すことは、男性に比べ力の弱い女性労働者の腰及び肩に多くの負担をかけ痛めてしまう事が多々見受けられる。
【発明の開示】
【発明が解決しようとする課題】
【０００３】  従来のぱちんこ玉箱及び回胴式遊技専用メダル箱からぱちんこ玉及び回胴式遊技専用メダルを集計機投入口に投入する動作は、ニ工程（持ち上げ・傾け）の作業が必要であったが、一工程に低減できれば少ない労力で済み女性労働者に優しい。
【課題を解決するための手段】
【０００４】  本発明は、ぱちんこ玉箱及び回胴式遊技専用メダル箱から集計機投入口にぱちんこ玉及び回胴式遊技専用メダルを投入する場合、従来の満杯（４〜７キログラム）になった箱を傾けるのではなく、箱の側面に開閉式の扉を設置し扉を開ければ箱を傾けることなく集計機投入口にぱちんこ玉及び回胴式遊技専用メダルを投入できる。
【発明の効果】
【０００５】  本発明は、ぱちんこ玉箱及び回胴式遊技専用メダル箱の側面に開閉式扉を設置することにより、持ち上げる作業だけで傾ける作業が省ける。男性より力は弱く身長の低い女性でも、大幅な作業低減並びに腰痛などの理由により離職する女性労働者を低減できる効果が期待できる。
【発明を実施するための最良の形態】
【０００６】  以下、本発明の実施の形態を説明する。
（イ）ぱちんこ玉箱及び回胴式遊技専用メダル箱の側面に開閉式の扉を設置する。
（ロ）開閉式の扉部は、集計機のぱちんこ玉及び回胴式遊技専用メダル投入口にぱちんこ玉及び回胴式遊技専用メダルと投入する際、箱の扉部の側面からぱちんこ玉及び回胴式遊技専用メダルが横漏れしないよう工夫を施す。
（ハ）ぱちんこ玉及び回胴式遊技専用メダル箱の底面に傾斜を付け、ぱちんこ玉及び回胴式遊技専用メダルを開閉式扉へ誘導できる工夫をする。
【図面の簡単な説明】
【０００７】
【図１】本発明の斜視図
【図２】本発明の上面図
【図３】本発明の側面図
【図４】本発明の正面図
【符号の説明】
【０００８】  （１）ぱちんこ玉箱及び回胴式遊技専用メダル箱、（２）ぱちんこ玉及び回胴式遊技専用メダル、（３）開閉式扉、（４）ぱちんこ玉及び回胴式遊技専用メダル横漏れ防止工夫部、（５）傾斜した底面
【図１】
2008093383.tif 000003
【図２】
2008093383.tif 000004
【図３】
2008093383.tif 000005
【図４】
2008093383.tif 000006
(57)【要約】【課題】  回転かごを駆動モーターによって回転させ、中に入れた揚げ物から油成分を、豆腐などから水分を分離する脱水脱油機を提供する。【解決手段】  油受容器の中に回転かごを設け、油受容器の下部に容器側結合機構を設けた容器部とモーター収納ケースの内部に駆動モーターを設け、モーター収納ケースの側面に回転制御スイッチを設け、モーター収納ケースの上部に駆動側結合機構を設けた駆動部によって構成されることを特徴とし、駆動部の上に容器部をのせた状態で回転かごを回転させる遠心分離脱水脱油機。【選択図】図１
2008093369.tif 000002
【特許請求の範囲】
【請求項１】
油受容器の中に回転かごを設け、油受容器の下部に容器側結合機構を設けた容器部とモーター収納ケースの内部に駆動モーターを設け、モーター収納ケースの側面に回転制御スイッチを設け、モーター収納ケースの上部に駆動側結合機構を設けた駆動部によって構成されることを特徴とし、駆動部の上に容器部をのせた状態で回転かごを回転させる遠心分離脱水脱油機。
【請求項２】
一組の多数の穴のあいたコーナー容器、このコーナー容器で豆腐など崩れやすいものを中に挟んで適度な圧力をかけるバインダーからなる豆腐ホルダーを請求項１項の遠心分離脱水脱油機の回転かごの中に入れたことを特徴とする遠心分離脱水脱油機。
【発明の詳細な説明】
【技術分野】
【０００１】  本発明は回転かごを駆動モーターによって回転させ、中に入れた揚げ物から油成分を、豆腐などから水分を分離する脱水脱油機に関するものである。
【背景技術】
【０００２】  従来、料理に使う野菜の水切りに使う手動の水切り器がある。また工作機械による切削加工の際に出る切削切粉から機械油を抜く大型の脱油機があった。
【発明の開示】
【発明が解決しようとする課題】
【０００３】（イ）従来の野菜水切り器では野菜の表面についた水を飛ばせばよいので手動の遠心分離式脱水機で充分にその目的を果たしていたが、揚げ物の中に含まれる油分を抽出するにはその目的を果たすには手動ではその目的が充分満たせない。
（ロ）また、切削切粉の脱油機では大きすぎて食卓上で使えるようなものはない。
本発明はこれら従来の脱水機、脱油機と異なる卓上型の簡便な脱水脱油機を提供するためになされたものである。
【問題を解決するための手段】
【０００４】  油受容器の中に回転かごを設け、油受容器の下部に容器側結合機構を設けた容器部と、モーター収納ケースの内部に駆動モーターを設け、モーター収納ケースの側面に回転制御スイッチを設け、モーター収納ケースの上部に駆動側結合機構を設けた駆動部によって構成されることを特徴とし、駆動部の上に容器部をのせた状態で回転かごを回転させる遠心分離脱水脱油機である。
【発明の効果】
【０００５】（イ）小形で使用方法が簡単であるので台所の調理台あるいは食卓の上に置くことが出来、揚げたての揚げ物を熱いうちに脱油出来るので脱油効果が大きい。
（ロ）脱油が入る容器部と駆動モーターの入る駆動部が分離されているので、脱油の廃却、容器部の洗浄が容易であり清潔である。
【発明を実施するための最良の形態】
【０００６】  以下、本発明の実施の形態について説明する。
（イ）容器側結合機構（１５）と油受容器（１２）は脱油した油が漏れないようパッキン（１６）を挟んでネジ込みで組み立てる。回転かご（１３）は全体を油受容器（１２）の中に入れ低部を容器側結合機構（１５）の中心の回転軸に取り付け固定し容器部（１）が組み立てられる。
（ロ）駆動部（２）はモーター収納ケース（２１）とその上に設けられた駆動側結合機構（２３）から構成されている。モーター収納ケース（２１）の内部に駆動モーターがあり、モーターの回転軸は駆動側結合機構（２３）の回転軸と連結されている。駆動部（２）の側面には回転制御スイッチ（２２）が設けられており駆動モーターの回転を制御する。駆動部（２）の上部に設けられた駆動側結合機構（２３）の上に容器部（１）の下部に設けられた容器側結合機構（１５）を重ねて置くと駆動部（２）内の駆動モーターの回転は容器部（１）の中にある回転かご（１３）に伝えられる。安全のため容器部（１）の上部にはフタ（１１）が準備されている。
本発明は以上のような構成で、次にこの使い方について説明する。
（ハ）揚げ物の油を脱油する場合は先ず使う前に容器部（１）は熱いお湯を入れるなどして充分温めてから駆動部（２）の上に置く。肉類、野菜類にころもをつけて食用油で揚げたいわゆる「てんぷら」や「串揚げ」などの揚げ物は揚げたての瞬間は多くの油を含んでいる。この揚げたての揚げ物を温めてある容器部（１）の中の回転かご（１３）の中へ入れる。容器部（１）の油受容器（１２）にフタ（１１）をし、駆動部（２）の回転制御スイッチ（２２）を数秒間ＯＮにする駆動モーターの性能、負荷（かごに入れる揚げ物の量）によっても効果は左右されるが、回転数が毎分１０００〜２０００回転の場合回転時間は数秒で充分脱油効果が得られる。
（ニ）脱油したてんぷらはフタ（１１）をとって冷めない内に食卓へ出す。脱油は油受容器（１２）の底に溜まるので回転かごの底面まで溜まる前に容器部（１）の取手（１４）を持って駆動部（２）から取り外し、中の油を所定の廃油容器に移す。油受容器（１２）が冷えてきた場合には温めなおす。
（ホ）豆腐の水分を抜く場合は複数のコーナー容器（３１）、バインダー（３２）からなる豆腐ホルダー（３）で豆腐（３０）を挟んでから容器部（１）の回転かご（１３）の中へ入れる。揚げ物同様数秒間で適度の脱水が出来る。
【図面の簡単な説明】
【０００７】
【図１】本発明の斜視図
【図２】本発明の一部品を取り外した斜視図
【図３】本発明の一構成品の斜視図
【図４】本発明の一使用例を示す斜視図
【符号の説明】
【０００８】１    容器部
１１  フタ
１２  油受容器
１３  回転かご
１４  取手
１５  容器側結合機構
１６  パッキン
２    駆動部
２１  モーター収納ケース
２２  回転制御スイッチ
２３  駆動側結合機構
３    豆腐ホルダー
３０  豆腐
３１  コーナー容器
３２  バインダー
【図１】
2008093369.tif 000003
【図２】
2008093369.tif 000004
【図３】
2008093369.tif 000005
【図４】
2008093369.tif 000006
(57)【要約】【課題】従来の米とぎの器具にあっては、棒状のものによる撹拌によるものか、若しくは器に水道水を勢いよく流入させることでとぐというものが一般的であった。しかし、撹拌によるものでは、米や水が飛び散ることがあり、また水道水を流入させるものでは、無駄に水を使ったり、水が噴出したりという難点があった。【解決手段】二枚のプレートをネットで囲うように繋ぐことで、炊飯釜の中の米をすくうポケット状のものを作り、上部プレートを押したり、また前後左右に自由に動かすことで、すくった米をとぐことができる。また、とぎ汁を捨てる場合においても、釜の水に触れることなく、また米を流してしまうことなく処理することができる。【選択図】図１
2008093370.tif 000002
【特許請求の範囲】
【請求項１】
二枚のプレートをネットで繋ぎ、米をすくうことができるポケットを作り、すくった米を圧縮、前後左右に摩擦を加えることで米を研ぐことができる米とぎ器。
【請求項２】
下部のプレートと炊飯器の釜の間に米が挟まり、釜の内部に傷が付かないように本体を浮かせるようにした突起を持つ米とぎ器。
【発明の詳細な説明】
【技術分野】
【０００１】  本発明は、一般家庭での調理用米とぎ器具に関する。
【背景技術】
【０００２】  従来の米とぎ器具には、炊飯器の内釜に入れた米を棒状のもので撹拌するものと、別の器に入れた米を水道水の水流で撹拌するものなどがある。
【発明の開示】
【発明が解決しようとする課題】
【０００３】  従来の米とぎ器具で棒状のものを使用するものにあっては、撹拌をする際に米や水が飛び散ることがあり、また、十分に米を研ぐことが困難であった。また、とぎ汁を捨てる際には、釜に手を添えるために器具を別の場所に置かなければならない。別の器で水流による撹拌をするものにあっては、水を無駄に使ったり、水流が十分でないと撹拌がきちんとできない難点がある。また、器を移し変えるという手間が発生する。【０００４】  本発明は、米や水の飛び散りや、水の無駄な使用をすることなく、また器の移し変えの面倒を解消するとともに、とぎ汁を捨てるまでの一連の動作を連続的に行えるようにしたものである。
【課題を解決するための手段】
【０００５】  本発明では、上下二枚のプレートをネットで繋ぎ、ポケット状にして米をすくうようにした。ネットで繋がれた二枚のプレートは完全に固定されていないため、互いのプレートは上下、前後、左右何れの方向にも自由に動くことができ、すくわれた内部の米には様々な角度から圧力を掛けることができ、手もみに近い状態で米をとぐことができる。【０００６】  とぎ汁を捨てる場合には、本体の開口部に釜の口を傾けて入れて流し込むことにより、内部の米や水に触れることなく、また流れ出る米については、内部で受け止めることができ、米を流失させることがない。
【発明の効果】
【０００７】  本発明によれば、米とぎからとぎ汁を捨てる一連の処理において一切水や米に触れることなく作業ができる。【０００８】  下部のプレートの底部に施してある突起は、炊飯釜との間に空間を持たせる効果をもたらす。これにより、米がプレートと釜の間に挟まり擦れることがなく、テフロン加工等をしてある釜を傷めることを防ぐ。
【発明を実施するための最良の形態】
【０００９】  以下、図を元に本発明の形態を説明する。１は上部プレートであるが、プレートの内側は大きな凹凸がある。２が下部のプレートで、内部には小さな突起が全体に施してある。この二枚のプレートを繋いでいるのが４及び５で構成されたネットである。４は厚手のナイロン若しくはゴムとする。４と５とはミシンで縫い合わされて一体となっている。３の取っ手を持って米とぎの動作を行う。【００１０】  ４と５で構成されるネットの上下は９に示すようにステッチが入れられ、金具８が挿入できるようにステッチの内側は円筒状になっている。【００１１】  ９のステッチ内部に８の金具を挿入したものを二枚のプレートにある６に差込むとともに、各プレートの側部に設けられた溝に金具８を押し込み装着して固定する。【００１２】  ７は下部のプレートと炊飯釜の間に米が挟まり擦れることで、釜の内部を傷めることがないように施された突起である。
【図面の簡単な説明】
【００１３】
【図１】  米とぎ器の全体を示す図である。
【図２】  米とぎ器を側面から見た図である。
【図３】  下部のプレートを裏側から見た図であり、６の形状及び７の突起の位置の状況を示す。
【図４】  プレートを繋ぐネットを固定するための金具である。
【図５】  ネットを展開した図である。
【符号の説明】
１  上部プレート
２  下部プレート
３  取っ手
４  ネットの構成部分
５  ネット
６  金具差込み部分
７  突起
８  金具
９  ステッチ
【図１】
2008093370.tif 000003
【図２】
2008093370.tif 000004
【図３】
2008093370.tif 000005
【図４】
2008093370.tif 000006
【図５】
2008093370.tif 000007
(57)【要約】【課題】  本発明は、バッグにおいて、バッグの側面に小物入れを設け、小物入れに切り込みを設け、小物入れにカバーを設けたことを特徴とする小物入れ付きバッグを提供する。【解決手段】  バッグ（１）において、バッグの側面に小物入れ（２）を設け、小物入れ（２）に切り込み（３）を設け、小物入れ（２）にカバー（４）を設けたことを特徴とする小物入れ付きバッグ。【選択図】図１
2008093367.tif 000002
【特許請求の範囲】
【請求項１】
バッグ（１）において、バッグの側面に小物入れ（２）を設け、小物入れ（２）に切り込み（３）を設け、小物入れ（２）にカバー（４）を設けたことを特徴とする小物入れ付きバッグ。
【発明の詳細な説明】
【技術分野】
【０００１】  本発明は、バッグにおいて、バッグの側面に小物入れを設け、小物入れに切り込みを設け、小物入れにカバーを設けたことを特徴とする小物入れ付きバッグに関するものである。
【背景技術】
【０００２】  従来は、バッグの中に仕切りを設け、小物を入れられるように工夫したバッグはあった。
とくに、ポケットテッシュを専用に入れるところはなかった。
【発明の開示】
【発明が解決しようとする課題】
【０００３】  そのためつぎのような問題があった。
携帯性と、手軽さに優れたポケットティッシュは、私たちの生活に広く浸透している。
しかし、多くの場合、ポケットティッシュをそのままバッグや衣服のポケットの中に入れて持ち歩くために、１度封を切ると、バッグや衣服のポケットの中で、ティッシュペーパーを包んでいる包装袋から飛び出したり、しわくちゃになったりして使いづらかった。
また、そうしたポケットティッシュは、使い切らないうちに捨ててしまうこともあり、便利である反面多くの無駄があった。
本発明はこれらの問題点をなくすためになされたものである。
【課題を解決するための手段】
【０００４】  バッグ（１）において、バッグの側面に小物入れ（２）を設け、小物入れ（２）に切り込み（３）を設け、小物入れ（２）にカバー（４）を設ける。
以上のように構成された小物入れ付きバッグである。
【発明の効果】
【０００５】  開封後も、周りの袋がぐちゃぐちゃにならない。
ポケットティッシュが使いやすい。
ポケットティッシュを無駄にしなくてすむ。
【発明を実施するための最良の形態】
【０００６】  以下、本発明の実施の形態について説明する。
バッグ（１）において、バッグの側面に、ポケットティッシュに適合する大きさの小物入れ（２）を設ける。
小物入れ（２）に切り込み（３）を設ける。
小物入れ（２）にカバー（４）を設ける。
本発明は以上のように構成された小物入れ付きバッグである。
本発明を使用するときは、ポケットティッシュの包装袋を開封し、小物入れ（２）に包装袋を入れる。
ビニールの特性の粘着性により、小物入れ（２）の中は密着を保つことができてティッシュペーパーも容易に取り出せる。
小物入れ（２）は、通常はカバー（４）をして置く。
【図面の簡単な説明】
【０００７】
【図１】  本発明の斜視図である。
【符号の説明】
【０００８】１  バッグ
２  小物入れ
３  切り込み
４  カバー
【図１】
2008093367.tif 000003
(57)【要約】【課題】  屋内に現れたゴキブリ、蜘蛛などの虫を簡単に捕獲する事ができ、構造が簡単で安価に製造できる虫捕獲器具を提供する。【解決手段】  口の広い筒（２）の内側に目の細かいネット（３）を張り掃除機に取り外しできるようにしたもので、虫を吸い込んだ後に蓋（３）を筒（２）の口に取り付けることで簡単に虫を捕獲、解放させられる事を特徴とする虫捕獲器具。【選択図】図１
2008093398.tif 000002
【特許請求の範囲】
【請求項１】
口の広い筒の内側に目の細かいネットを張り掃除機に取り外しできるようにしたもので、虫を吸い込んだ後に蓋を筒の口に取り付けることで簡単に虫を捕獲、解放させられる事を特徴とする虫捕獲器具。
【発明の詳細な説明】
【技術分野】
【０００１】  本発明は口の広い筒の中にネットを張って掃除機に取り付けて使用する虫捕獲器具に関するものである。
【背景技術】
【０００２】  従来までは屋内に現れていた虫に対処する時は殺虫剤を用いる方法しかなかった。
【発明の開示】
【発明が解決しようとする課題】
【０００３】  そのためには次のような問題点があった。
（イ）殺す必要のない屋内に現れた虫を殺してしまう。
（ロ）殺虫剤を買うと費用がかかる上、空気を汚してしまう。
本発明は、これらの問題点を解決するためになされたものである。
【課題を解決するための手段】
【０００４】  口の広い筒の内側に目の細かいネットを張り掃除機に取り外しできるようにしたもので、虫を吸い込んだ後に蓋を筒の口に取り付けることで簡単に虫を捕獲、解放させられる事を特徴とする虫捕獲器具。
【発明の効果】
【０００５】  掃除機を利用して簡単に虫を捕獲できるので費用がかからない上に空気を汚さずに済む。また、捕獲した虫は簡単に逃がせるので殺さずに済む。
【発明を実施するための最良の形態】
【０００６】  以下、本発明の実施の形態について説明する。
（イ）筒（２）の口は広いものを用いる。
（ロ）筒（２）の内部に目の細かいネット（３）を張る。
（ハ）筒（２）の上部には、掃除機の吸い込み口を接続するための筒（１）を設ける。
（ニ）筒（２）の口に取り外しできるような蓋（４）を設ける。
本発明は、以上のような構成でこれを使用するときは掃除機に筒（１）を接続して、掃除機の吸気を利用してＡの方向から虫を捕まえる。そして、蓋（４）を筒（２）の口に取り付ける事で虫を簡単に捕獲、解放させられる事ができる。
【図面の簡単な説明】
【０００７】
【図１】  本発明の斜視図と内部の構造
【図２】  本発明の横から見た切断面図
【図３】  本発明の実施例を示す斜視図
【符号の説明】
【０００８】  １  筒
２  筒
３  ネット
４  蓋
【図１】
2008093398.tif 000003
【図２】
2008093398.tif 000004
【図３】
2008093398.tif 000005
(57)【要約】【課題】  碁石に表題と図解を表記した初歩の囲碁学習用具を提供する。【解決手段】  碁石の表面に表題を設け，裏面の透明板に図解を設け，碁盤の着手地点にくぼみを設けたことを特徴とする初歩の囲碁学習用具。【選択図】図１
2008093400.tif 000002
【特許請求の範囲】
【請求項１】
碁石の表面に表題を設け，裏面の透明板に図解を設け，碁盤の着手地点にくぼみを設けたことを特徴とする初歩の囲碁学習用具。
【発明の詳細な説明】
【技術分野】
【０００１】  本発明は，碁石に囲碁の形を表記して，碁盤にくぼみをつけた初歩の囲碁学習用具に関んするものである。
【背景技術】
【０００２】  従来，参考書やビデオソフトの学習用具があった。
【発明の開示】
【発明が解決しようとする課題】
【０００３】  そのために，次のような問題点があった。
（イ）参考書を見て囲碁の形を碁盤に並べていた。
（ロ）碁盤に置いた碁石が接触・振動で乱れることがあった。
本発明は，これらの問題点を解決するためになされたものである。
【課題を解決するための手段】
【０００４】  碁石の表面に表題を設け，裏面の透明板に図解を設ける。そして，碁盤の着手地点にくぼみを設ける。以上を特徴とする初歩の囲碁学習用具である。
【発明の効果】
【０００５】  本発明は，碁石を教材として囲碁の形とその仕組を学習することができる。
また，碁盤に置いた碁石が安定する。
【発明を実施するための最良の形態】
【０００６】  以下，本発明の実施の形態について説明する。
（イ）碁石（１）は，湾曲状に突出した円盤状の基台（２）を設け，その裏面に円盤状の透明板（３）を設ける。
（ロ）円盤状の基台（２）の表面に碁形の表題（４）を設け，透明板（３）の裏面に眼形等の図解（５）を設ける。
（ハ）碁盤の着手地点に円形の浅いくぼみ（６）を設け，その底面に黒の円形マ−ク（７）を設ける。
本発明は，以上の構成で，これを使用するときは，透明板（３）に表記してある眼形等の基本の図解（５）を碁盤（１）に並べ，形の要点と類似する碁形を比較して，仕組の違いを学習する。また，碁石（１）は，円盤状の基台（２）の表題（４）を設けた面を上にして指導対局等に使用する。
具体例
例えば，活きの眼形を学習する場合，眼形が二眼ある碁形でも，並列に並んだ二眼の形は，その眼形に碁石を置かれると眼形がなくなり，一眼づつ独立した眼形を二眼作る必要があることを理解する。
【図面の簡単な説明】
【０００７】
【図１】  本発明の斜視図
【図２】  本発明の一部を切り欠いた斜視図
【図３】  本発明の一部の断面図
【符号の説明】
【０００８】  １  碁石
２  円盤状の基台
３  透明板
４  表題
５  図解
６  くぼみ
７  円形マ−ク
【図１】
2008093400.tif 000003
【図２】
2008093400.tif 000004
【図３】
2008093400.tif 000005
(57)【要約】【課題】  従来のボードゲームは、ゲームそのものだけしか楽しむ事が出来なかった。そこで本発明ではゲームそのものを楽しみながら、それと同時に歴史の学習が出来るボードゲームを提供する。【解決手段】  ２０年ごとに区切られたマスの中に、歴史上の出来事とポイント数が書かれている、すごろく形式のボードゲーム上で、各プレーヤーがサイコロを振り、出た目の数だけ親ゴマを進め、各自が止まったマスに小ゴマを残していくかの選択をし、残した小ゴマが置いてあるマスのポイント数の合計点でゲームの順位を競い合う。小ゴマは各自１０個までしかマスに置けない。プレーヤーのひとりがゴールしたらその時点でゲームは終了となる。【選択図】図１
2008093393.tif 000002
【特許請求の範囲】
【請求項１】
ゲームのマス目に２０年ごとの年号が書き込まれている、すごろく形式の学習用ボードゲーム。
【請求項２】
ゲーム上のマス目に書いてある歴史上の出来事やエピソードを読むことによって歴史が学べる学習用ボードゲーム。
【請求項３】
サイコロを振り、自分のコマが止まったマス目に書かれているポイントの合計得点で勝敗を競う学習用ボードゲーム。
【発明の詳細な説明】
【技術分野】
【０００１】  本発明は歴史上の出来事が書いてあるマス目を利用し、そのマス目に書かれているポイント得点数を競い合うという歴史の学習要素をゲームのルールの中に取り入れた学習用ボードゲームに関するものである。
【背景技術】
【０００２】  従来のボードゲームはそのゲームのプレイそのものしか楽しむことが出来なかった。
【発明の開示】
【発明が解決しようとする課題】
【０００３】  これには次のような問題点があった。
従来からあるボードゲームでは、そのゲームだけしか楽しむことが出来ずゲームで遊びながら学ぶという事が出来ない状態であった。本発明はそのような不便をなくし、ゲームのプレイを楽しみながら、それと同時に歴史の学習も出来るというボードゲームを提供することになる。
【課題を解決するための手段】
【０００４】  ２０年ごとに区切られたマスの中に、歴史上の出来事とポイント数が書かれているすごろく形式のボードゲーム上で、各プレーヤーがサイコロを振り、出た目の数だけ親ゴマを進め、各自が止まったマスに小ゴマを残していくかの選択をし、残した小ゴマが置いてあるマスのポイント数の合計点でゲーム順位を競い合う、小ゴマは各自１０個までしかマスに置けない。プレーヤーのひとりがゴールしたらその時点でゲーム終了とする。
本発明は以上のような構成よりなる歴史の学習をしながらゲームプレイが楽しめるボードゲームである。
【発明の効果】
【０００５】  本発明のボードゲームは１マスを２０年として区切り、その１マス１マスに、その年代内に起こった出来事やエピソードを書いてあるので、歴史の流れや歴史上の人物が生きた時代等がゲームを楽しみながら、学習することが出来る。
【発明をする実施するための最良の形態】
【０００６】  以下本発明の実施例について説明する。
（イ）  本発明は紀元前６００年より現代までを２０年ごとのマスで区切り、そのマスに書かれているポイント数（２）の合計得点を競い合うボードゲームである。
（ロ）  本発明は、２名〜４名でプレイを楽しむボードゲームである。各プレーヤーは赤、青、黄、緑の中から自分の色を決め、それぞれが決めた色の親ゴマ（４）１つと、小ゴマ（５）１０個を持ちプレイに参加する。
（ハ）  各プレーヤーは右回りにサイコロを振り、出た目の数だけ親ゴマを進める。そして止まったマスに小ゴマを残すか残さないかの、選択をする。ゲーム中マスに残せる小ゴマの数は各プレーヤー１０個まで、プレーヤーのひとりがゴールしたらその時点で直ちにゲームを終了する。ゲーム終了時点で各プレーヤーそれぞれ自分の色の小ゴマが置いてあるマスのポイント数の合計を計算する。ポイント点数の高い順にプレーヤーの順位が決まる。
（ニ）  先に他のプレーヤーが小ゴマを置いてあるマスには、後から来たプレーヤーが止まっても小ゴマは置けない。
本発明は以上のような構成からなる知育玩具的なボードゲームであり、ゲームで遊びながら、同時に歴史を学ぶ事が出来る。
【産業上の利用可能性】
【０００７】  本発明に係るボードゲームは工業的に量産する事が可能であるため、産業上の利用可能性を有する。
【図面の簡単な説明】
【０００８】
【図１】ボードゲームの要部拡大の正面図
【図２】色つき親ゴマの斜視図
【図３】色つき小ゴマの斜視図
【符号の説明】
【０００９】  １  マスの中に書かれた歴史上の出来事を紹介する文
２  １マスごとに書かれたポイント数
３  年号
４  色つき親ゴマ
５  色つき小ゴマ
６  さし絵
【図１】
2008093393.tif 000003
【図２】
2008093393.tif 000004
【図３】
2008093393.tif 000005